(57)【要約】【課題】消費電力を低く抑えつつ、迅速にアクセスポイントを検索することができる無線通信装置およびアクセス制御方法を提供すること。【解決手段】無線通信装置１００に、公衆無線通信網の基地局装置と当該基地局装置のエリア内で通信を行うセルラ送受信処理部１１０と、前記エリアより狭い限定されたエリア内で当該エリアのアクセスポイントと通信を行うローカル無線送受信処理部１０９と、前記アクセスポイントに関する情報と、当該アクセスポイントのエリア内で通信可能な基地局装置に関する情報とを対応づけて記憶する接続情報記憶部１０５と、セルラ送受信処理部１１０にて通信可能な基地局装置に関する情報と一致する、接続情報記憶部１０５に記憶された情報に対応するアクセスポイントへのアクセス制御を行うとともに、ローカル無線送受信処理部１０９の起動制御を行うアクセスポイント検索処理部１０４およびＩＦ選択部１０２と、を設けた。【選択図】図１
2008060742.tif 000002
【特許請求の範囲】
【請求項１】
アクセスポイントと通信を行うローカル無線送受信手段と、
前記アクセスポイントに関する情報と、前記アクセスポイントへのアクセス開始を制御するためのアクセス補助情報とを対応づけて記憶する記憶手段と、
前記アクセス補助情報と一致する、前記記憶手段に記憶された情報に対応するアクセスポイントへのアクセス制御を行うとともに、前記ローカル無線送受信手段の起動制御を行う制御手段と、
を具備する無線通信装置。
【請求項２】
公衆無線通信網の基地局装置と前記基地局装置のエリア内で通信を行うセルラ送受信手段を具備し、
前記記憶手段は、前記アクセス補助情報として前記アクセスポイントのエリア内で通信可能な基地局装置に関する情報を記憶し、
前記制御手段は、前記セルラ送受信手段にて通信可能な基地局装置に関する情報と一致する、前記記憶手段に記憶された情報に対応するアクセスポイントへのアクセス制御を行うとともに、前記ローカル無線送受信手段の起動制御を行う請求項１記載の無線通信装置。
【請求項３】
特定エリアへの進入のための認証を行う認証装置と通信を行う認証処理手段を具備し、
前記記憶手段は、前記アクセス補助情報として前記認証装置との認証に関する情報を記憶し、
前記制御手段は、前記認証が成功した前記認証装置との認証に関する情報と一致する、前記記憶手段に記憶された情報に対応するアクセスポイントへのアクセス制御を行うとともに、前記ローカル無線送受信手段の起動制御を行う請求項１記載の無線通信装置。
【請求項４】
前記制御手段は、前記アクセスポイントとの通信中に、前記アクセスポイントに関する情報と、前記アクセスポイントのエリア内において前記セルラ送受信手段で通信可能な基地局装置に関する情報とを対応づけた記憶制御を行う請求項２記載の無線通信装置。
【請求項５】
前記制御手段は、前記アクセス制御が失敗したときに、前記ローカル無線送受信手段への電力供給を停止する請求項２記載の無線通信装置。
【請求項６】
前記記憶手段に記憶されるアクセスポイントに関する情報は、当該アクセスポイントとの通信に利用されるチャネル情報を含む請求項２記載の無線通信装置。
【請求項７】
前記記憶手段に記憶される基地局装置に関する情報は、当該基地局装置の識別情報と、当該基地局装置から送信される信号の受信電力情報とを含む請求項２記載の無線通信装置。
【請求項８】
前記記憶手段は、前記アクセス補助情報として前記アクセスポイントの利用頻度の高い時間帯を記憶し、
前記制御手段は、現時点が前記記憶手段に記憶された利用頻度の高い時間帯に対応するアクセスポイントへのアクセス制御を行うとともに、前記ローカル無線送受信手段の起動制御を行う請求項１記載の無線通信装置。
【請求項９】
前記制御手段は、前記特定エリアからの退出の認証を行うときに、前記ローカル無線送受信手段への電力供給を停止する請求項３記載の無線通信装置。
【請求項１０】
アクセスポイントのエリア内で通信を行うローカル無線送受信手段を具備する無線通信装置の前記アクセスポイントへのアクセス制御方法であって、
前記アクセスポイントに関する情報と、前記アクセスポイントへのアクセス開始を制御するためのアクセス補助情報とを対応づけて記憶するステップと、
前記アクセス補助情報を満たしているか否かを判定するステップと、
前記アクセス補助情報と一致する、前記記憶された情報に対応するアクセスポイントへのアクセス制御を行うとともに、前記ローカル無線送受信手段の起動制御を行うステップと、
を具備するアクセス制御方法。
【請求項１１】
前記アクセスポイントへのアクセスは、前記アクセスポイントに関する情報に含まれる前記アクセスポイントのチャネルのみを利用する請求項１０記載のアクセス制御方法。
【発明の詳細な説明】
【技術分野】
【０００１】
本発明は、アクセスポイントとの通信を行う無線通信装置およびアクセスポイントへのアクセス制御方法に関する。
【背景技術】
【０００２】
携帯電話などに無線ＬＡＮクライアント機能を搭載し、宅内では宅内に設置した無線ＬＡＮアクセスポイントを経由して通信を行い、宅外では公衆無線通信サービスを利用して通信を行う固定・携帯通信融合サービス（Ｆｉｘｅｄ  Ｍｏｂｉｌｅ  Ｃｏｎｖｅｒｇｅｎｃｅ：以下、ＦＭＣサービスと言う）への期待が高まっている。
【０００３】
従来、無線ＬＡＮクライアントは、接続先の無線ＬＡＮアクセスポイントを検索するために、定期的に全通信チャネルを走査して無線ＬＡＮアクセスポイントからのビーコンを待ち受ける、あるいは、ビーコン要求をそれぞれのチャネルに送信してその応答を待ち受けるという手法をとっている。このため無線ＬＡＮアクセスポイントが存在しない場所においても定期的に無線ＬＡＮ通信部に電源が投入されるので、電力消費が大きくなる問題があった。
【０００４】
この問題を解決するものとして、従来、携帯電話と無線ＬＡＮ機能とを搭載した無線通信装置の電源を制御する装置として、ＧＰＳなどの位置情報取得手段と、無線ＬＡＮアクセスポイントの位置情報記憶手段を有し、自無線通信装置の位置が無線ＬＡＮアクセスポイントの近傍にある場合に無線ＬＡＮ通信部に電源を投入するものある（例えば、特許文献１、特許文献２参照）。すなわち、従来の無線通信装置は、自無線通信装置の位置情報と無線ＬＡＮアクセスポイントの位置情報を比較して、近傍に位置する場合に無線ＬＡＮアクセスポイントとの接続を行うものである。  
【特許文献１】特開２００５−２２９３９９号公報
【特許文献２】特開２００３−２８４１１２号公報
【発明の開示】
【発明が解決しようとする課題】
【０００５】
しかしながら、上記従来の無線通信装置においては、無線ＬＡＮアクセスポイントの位置情報を取得するための機能が必要となる上、無線ＬＡＮアクセスポイントの近傍に位置する場合にも、全通信チャネルを走査するため、使用している無線チャネルが走査チャネルの前半と後半のチャネルである場合などには、無線ＬＡＮアクセスポイントとの接続処理の終了時間に差が生じるため、常に最短での切替えを行うことができない問題がある。
【０００６】
本発明は、かかる点に鑑みてなされたものであり、消費電力を低く抑えつつ、迅速にアクセスポイントを検索することができる無線通信装置およびアクセス制御方法を提供することを目的とする。
【課題を解決するための手段】
【０００７】
本発明の無線通信装置は、アクセスポイントと通信を行うローカル無線送受信手段と、前記アクセスポイントに関する情報と、前記アクセスポイントへのアクセス開始を制御するためのアクセス補助情報とを対応づけて記憶する記憶手段と、前記アクセス補助情報と一致する、前記記憶手段に記憶された情報に対応するアクセスポイントへのアクセス制御を行うとともに、前記ローカル無線送受信手段の起動制御を行う制御手段と、を具備する構成を採る。
【０００８】
本発明のアクセス制御方法は、アクセスポイントのエリア内で通信を行うローカル無線送受信手段を具備する無線通信装置の前記アクセスポイントへのアクセス制御方法であって、前記アクセスポイントに関する情報と、前記アクセスポイントへのアクセス開始を制御するためのアクセス補助情報とを対応づけて記憶するステップと、前記アクセス補助情報を満たしているか否かを判定するステップと、前記アクセス補助情報と一致する、前記記憶された情報に対応するアクセスポイントへのアクセス制御を行うとともに、前記ローカル無線送受信手段の起動制御を行うステップと、を具備するようにした。
【発明の効果】
【０００９】
本発明によれば、消費電力を低く抑えつつ、迅速にアクセスポイントを検索することができる無線通信装置およびアクセス制御方法を提供することができる。
【発明を実施するための最良の形態】
【００１０】
以下、本発明の実施の形態について図面を参照して詳細に説明する。なお、実施の形態において、同一の構成要素には同一の符号を付し、その説明は重複するので省略する。
【００１１】
（実施の形態１）
図１に示すように本実施の形態の無線通信装置１００は、無線ＬＡＮアクセスポイントの検索制御を行うアクセスポイント検索制御部１０１と、無線通信装置のシステム動作制御を行う端末制御部１０８と、無線ＬＡＮなどの限定エリアでの通信を行うためのローカル無線送受信処理部１０９と、公衆無線通信網を介して通信を行うセルラ送受信処理部１１０と、操作部１１１と、ディスプレイ１１２とを有する。なお、図示はしていないが、無線通信装置１００は、コーデック、マイク、スピーカ、カメラ、バイブレータ、プログラム格納や実行のためのメモリなどの機能も有している。
【００１２】
アクセスポイント検索制御部１０１は、無線ＬＡＮアクセスポイントを検索する条件（以下、「ＡＰ検索処理開始条件」ということがある）になったときに、無線ＬＡＮアクセスポイントの検索制御を行う。また、アクセスポイント検索制御部１０１は、予め各アクセスポイントの、「ＡＰ検索処理開始条件」を記憶するＡＰ登録制御を行う。このＡＰ登録制御は、操作部１１１のユーザによる操作により、ＡＰ登録要求信号が生成され、この登録要求信号をアクセスポイント検索制御部１０１が端末制御部１０８を介して受け取ると、開始される。
【００１３】
具体的には、アクセスポイント検索制御部１０１は、ＩＦ選択部１０２と、イベント検知部１０３と、アクセスポイント検索処理部１０４と、接続情報記憶部１０５とを有する。
【００１４】
アクセスポイント検索処理部１０４は、端末制御部１０８を介してＡＰ登録制御信号を受け取ると、「ＡＰ登録処理」の制御を行う。
【００１５】
具体的には、アクセスポイント検索処理部１０４は、ＡＰ登録制御信号を受け取ると、公衆網側で接続中の基地局に関する「基地局情報」を取得する。アクセスポイント検索処理部１０４は、基地局から送信された基地局識別情報と、制御信号又はユーザデータ信号のいずれかの送信信号の受信電力とをセルラ送受信処理部１１０から取得し、この受信電力の平均値である平均受信電力を算出する。この算出された平均受信電力と、基地局識別とが「基地局情報」である。
【００１６】
また、「基地局情報」とともに、アクセスポイント検索処理部１０４は、ローカル無線送受信処理部１０９から、現在接続中の無線ＬＡＮアクセスポイントに関する「ＡＰ情報」、すなわち、アクセスポイント名、ＳＳＩＤ情報、使用チャネル、ビーコン周期、暗号化の有無、暗号キー、ＭＡＣアドレスなどを取得する。
【００１７】
そして、アクセスポイント検索処理部１０４は、取得した「基地局情報」と、「ＡＰ情報」とを対応づけて、接続情報記憶部１０５に記憶するＡＰ登録制御を行う。アクセスポイント検索処理部１０４は、これらの登録が完了すると、端末制御部１０８に登録完了通知を行い、ディスプレイ１１２への表示を可能にする。
【００１８】
また、アクセスポイント検索処理部１０４は、イベント検知部１０３からの指示により無線ＬＡＮアクセスポイント検索の実行制御を行う。具体的には、アクセスポイント検索処理部１０４は、イベント検知部１０３からイベント検知の通知を受け、接続情報記憶部１０５に記憶されているＡＰ情報を用いて無線ＬＡＮアクセスポイント検索を行うためにＩＦ選択部１０２にローカル無線送受信処理部１０９の活性化命令信号を送出する。この活性化命令信号には、ローカル無線送受信処理部１０９を活性化する命令信号と、検索すべきアクセスポイントのＡＰ情報が含まれる。この活性化命令信号をローカル無線送受信処理部１０９が受け取ることにより、ローカル無線送受信処理部１０９が活性化してＡＰ情報に対応するアクセスポイントの検索を行うようになる。
【００１９】
接続情報記憶部１０５は、基地局情報およびＡＰ情報を関連づけて記憶する。
【００２０】
具体的には、接続情報記憶部１０５は、セルラ情報登録部１０６と、アクセスポイント登録部１０７とを有する。
【００２１】
セルラ情報登録部１０６は、基地局情報と、これを記憶する記憶領域の識別情報に対応するセルラ情報ＩＤとを対応づけて記憶する。セルラ情報登録部１０６は、無線ＬＡＮアクセスポイントを経由して通信を行っている時に、自無線通信装置が収容される公衆無線通信網の基地局情報を記憶する。
【００２２】
アクセスポイント登録部１０７は、ＡＰ情報と、当該ＡＰ情報の取得時に取得した基地局情報のセルラ情報ＩＤとを対応づけて記憶する。アクセスポイント登録部１０７は、アクセスポイント検索処理部１０４が無線ＬＡＮアクセスポイントを検索するときに利用する情報を記憶する。本実施の形態では、無線通信装置１００が存在する位置で検出できる基地局情報のセルラ情報ＩＤに対応するＡＰ情報がアクセスポイント登録部１０７に記憶されていることを「ＡＰ検索処理開始条件」として、そのＡＰ情報に対応するアクセスポイントの検索処理が実行される。すなわち、基地局情報は、「アクセスポイントへのアクセス開始を制御するためのアクセス補助情報」ということができる。
【００２３】
イベント検知部１０３は、ローカル無線送受信処理部１０９が活性化していないときにセルラ送受信処理部１１０から定期的に情報を取得し、「ＡＰ検索処理開始条件」を満たしているか否かを検知する。具体的には、イベント検知部１０３は、セルラ送受信処理部１１０から取得した基地局ＩＤおよび平均受信電力が、セルラ情報登録部１０６に登録してある情報と類似するか否かを判定し、類似する基地局情報のセルラ情報ＩＤと対応づけられたＡＰ情報があるかを判定する。イベント検知部１０３は、「ＡＰ検索処理開始条件」が満たされているときには、対応するＡＰ情報を含むイベント検知通知をアクセスポイント検索処理部１０４に送出する。
【００２４】
ＩＦ選択部１０２は、アクセスポイント検索処理部１０４から活性化命令信号を受け取ると、ローカル無線送受信処理部１０９への電源供給制御およびＡＰ検索処理の制御を行う。なお、ＩＦ選択部１０２は、電力を供給することによりローカル無線送受信処理部１０９が活性化すると、アクセスポイント検索処理部１０４にローカル無線送受信処理部１０９が利用可能になったことを通知する。
【００２５】
端末制御部１０８は、無線通信装置１００の利用者からの、無線ＬＡＮアクセスポイント登録を示すキー入力を検知すると、アクセスポイント検索制御部１０１に登録要求信号を渡す。また、アクセスポイント登録中、登録結果をディスプレイに表示するための処理を行う。その他、発信動作や着信動作などの基本動作を行う処理や、キー入力に応じた無線通信装置の動作を実施する処理や、ディスプレイへの表示処理、セルラ送受信処理部１１０やローカル無線送受信処理部１０９から受信したユーザデータの処理、セルラ送受信処理部１１０やローカル無線送受信処理部１０９へ送信するユーザデータの処理など、無線通信装置１００の動作全体を制御する。
【００２６】
ローカル無線送受信処理部１０９は、ＩＦ選択部１０２によって電源が供給され、活性化する。活性化直後には、アクセスポイント検索処理部１０４からの指示により、指定のチャネルにおいて指定の無線ＬＡＮアクセスポイントを検索し、接続処理を行う。また、無線ＬＡＮ利用時には、接続中のアクセスポイント情報をアクセスポイント検索制御部１０１に渡す処理を行う。ローカル無線送受信処理部１０９は、アンテナ、ＲＦ回路、ベースバンド処理回路、データリンク制御部から構成される。送信処理時には、端末制御部１０８から受け取ったデータに、所定のデータリンク層によって定められたフォーマットでのフレーミングを行い、変調を施して無線信号に変換し、アンテナから送信する処理を行う。このとき、データリンク層によって定められたアクセス方式に従い無線メディアのアクセス権を獲得して送信を行う。受信処理時には、アンテナから受信した無線信号を復調し、デジタル信号をデータリンク層ヘッダ、テイラを取り外して端末制御部１０８に渡す。
【００２７】
セルラ送受信処理部１１０は、定期的に接続中の基地局情報をアクセスポイント検索制御部１０１に通知する。また、セルラ送受信処理部１１０は、例えば、３ＧＰＰ、３ＧＰＰ２などで標準化されている移動通信システム（ＩＭＴ−２０００標準）、ＰＤＣ方式、ＧＳＭ方式、ＰＨＳ方式などにより規定される送受信処理を行い、端末制御部１０８とのデータの受け渡しを行う。
【００２８】
操作部１１１は、無線ＬＡＮアクセスポイント登録動作を本無線通信装置の利用者が起動できるようにする。また、操作部１１１は、その他、電話番号入力や文字入力、通信端末の各種モードや、オンフック、オフフックなどを設定入力することが可能であり、入力装置として機能する。入力内容は、端末制御部１０８に渡される。
【００２９】
ディスプレイ１１２では、アクセスポイント登録動作において、アクセスポイント登録中の旨や、動作完了後に登録結果をディスプレイに表示する処理を行う。
【００３０】
次に、上記構成を有する無線通信装置１００の動作について説明する。
【００３１】
まず、ＡＰ登録処理手順について説明する。図２は、無線通信装置１００における、ＡＰ登録処理手順を示すフロー図である。また、図３は、セルラ情報登録部１０６に記憶されるセルラ情報の構成例を示す図であり、図４は、アクセスポイント登録部１０７に記憶されるＡＰ情報の構成例を示す図である。
【００３２】
ローカル無線送受信処理部１０９が活性化されているときに、アクセスポイント情報登録を示すキーが入力されると、端末制御部１０８からＡＰ登録要求信号がアクセスポイント検索制御部１０１に発行される（ステップ１００１）。ここでキー入力とは、例えば図５に示すように、折りたたみ式携帯電話型の本無線通信装置の側面に専用の入力キー２０１を設け、入力キー２０１が押された場合を示す。
【００３３】
操作部としての入力キー２０１から入力が行われた場合の表示画面の例を図６に示す。同図に示す表示画面には、ローカル無線通信状況表示３０１、セルラ通信状況表示３０２、アクセスポイント登録処理確認表示３０３が表示されている。
【００３４】
ローカル無線通信状況表示３０１は、ローカル無線送受信処理部１０９が活性化されているときに強調表示され、アンテナ表示の本数で通信回線品質を示している。また、セルラ通信状況表示３０２は、アンテナ表示の本数で通信回線品質を示している。セルラ通信状況表示３０２は、ローカル無線送受信処理部１０９が活性化されている場合には、破線表示され、データ通信用途には主として使用していないことを示している。アクセスポイント登録処理確認表示３０３は登録処理の確認を行う表示であり、“Ｙｅｓ”を選択した場合に、実際のアクセスポイント登録動作を行う。
【００３５】
ステップ１００２では、ＡＰ登録要求信号を受け取ると、アクセスポイント検索制御部１０１のアクセスポイント検索処理部１０４は、セルラ送受信処理部１１０から受け取る受信電力情報に基づいて、接続可能な基地局からの平均受信電力の算出を開始する。
【００３６】
一定期間の計測を完了すると（ステップ１００３：ＹＥＳ）、アクセスポイント検索処理部１０４は、基地局の識別子と、計算した平均受信電力値とを、エントリ番号を示すセルラ情報ＩＤと共にセルラ情報登録部１０６に記録する（ステップ１００４）。ここで、接続可能な基地局が複数ある場合には、ステップ１００２〜ステップ１００４の操作を基地局の数だけ行う。
【００３７】
セルラ情報登録部１０６に記憶されるセルラ情報は、例えば、図３に示すような構成となる。同図では、接続可能な基地局が２つあり、それぞれのセルラ情報ＩＤで示されるテーブルに、基地局ＩＤと平均受信電力とが格納されている。セルラ情報ＩＤが“１”となるテーブルには、基地局ＩＤが“Ｃｅｌｌｕｌａｒ−ＢＳ１”、平均受信電力が“ＸＸＸ”ｄｂｍであること、セルラ情報ＩＤが“２”となるテーブルには、基地局ＩＤが“Ｃｅｌｌｕｌａｒ−ＢＳ２”、平均受信電力が“ＹＹＹ”ｄｂｍであることが記憶されている。
【００３８】
ステップ１００５では、アクセスポイント検索処理部１０４は、ローカル無線送受信処理部１０９からＡＰ情報を取得し、アクセスポイント登録部１０７に記憶する。
【００３９】
アクセスポイント登録部１０７に記憶されるＡＰ情報は、例えば、図４に示す構成となる。アクセスポイント登録部１０７は、エントリ番号を示すＡＰ情報ＩＤ、ＡＰ名、ＳＳＩＤ、使用チャネル、ビーコン周期、ＷＥＰ暗号化の有無、ＷＥＰ暗号キー、関連セルラ情報エントリ番号を記憶している。同図の例では、エントリ番号を示すＡＰ情報ＩＤが“１”、ＡＰ名が“Ｗｌａｎａｐ１”、ＳＳＩＤが“Ｍｙｎｅｔｗｏｒｋ”、使用チャネルが“１４”、ビーコン周期が“１００ｍｓ”、ＷＥＰ暗号化の有無が“Ｏｎ”（有）、ＷＥＰ暗号キーが“Ｓｅｃｒｅｔ−ｋｅｙ１２３”、関連セルラ情報エントリ番号が“１”および“２”であることが記憶されている。これらの情報は、必要に応じて、図７のようにディスプレイ上に表示できる。ＡＰ情報を登録する際には、ディスプレイ上に図８のように表示し、無線通信装置１００のユーザにアクセスポイントの登録処理を実施中である旨を示してもよい。また、登録動作が完了すると、図９のようにアクセスポイント登録動作の完了をユーザに明示するため、ディスプレイに表示してもよい。
【００４０】
次に、ＡＰ検索処理について説明する。図１０は、無線通信装置１００における、ＡＰ検索処理手順を示すフロー図である。
【００４１】
ステップ２００１では、イベント検知部１０３は、ローカル無線送受信処理部１０９が活性化していないときに、「ＡＰ検索処理開始条件」を満たしているかいないかを判定する。具体的には、イベント検知部１０３は、セルラ送受信処理部１１０から、接続中又は接続可能な基地局の基地局情報を取得し、アクセスポイント登録部１０７に記憶されているセルラ情報と一致するエントリが存在し、且つ、セルラ情報登録部１０６でそのセルラ情報と対応づけられている平均受信電力と基地局情報から算出した平均受信電力とが類似する、すなわち差が一定範囲内にあるか否かを判定する。
【００４２】
ＡＰ検索開始条件が満たされる場合（ステップ２００１：ＹＥＳ）には、イベント検知部１０３は、アクセスポイント検索処理部１０４にイベント検知を通知する。アクセスポイント検索処理部１０４は、イベント検知通知を受信すると、ＩＦ選択部１０２にローカル無線送受信処理部１０９の活性化を指示し、これによりローカル無線送受信処理部１０９が活性化される（ステップ２００２）。
【００４３】
ステップ２００３では、アクセスポイント検索処理部１０４の制御により、アクセスポイント登録部１０７の情報を元に、接続したいアクセスポイントの使用チャネルにてビーコン周期×Ｎの期間、該当するアクセスポイントからのビーコンを待ち受ける。ビーコン周期の記載がない場合には、あらかじめ定められた一定期間の間、ビーコンを待ち受ける。なお、ステップ２００３においては、ビーコンを待ち受けるだけでなく、無線通信装置１００が、該当するチャネルでアクセスポイントへのビーコン要求信号の送信、又はアソシエーション要求などの接続要求信号の送信を行ってもよい。
【００４４】
ステップ２００４では、該当するアクセスポイントを発見したか否かをアクセスポイント検索処理部１０４が判定する。すなわち、アクセスポイント検索処理部１０４は、ステップ２００３で該当するアクセスポイントからビーコンが送信されてきたときに、登録アクセスポイントを発見したと判定する。
【００４５】
登録アクセスポイントを発見した場合（ステップ２００４：ＹＥＳ）には、そのアクセスポイントに対して、ローカル無線送受信処理部１０９がアソシエーション要求を送信し、接続処理を行う（ステップ２００５）。
【００４６】
ステップ２００６では、セルラ情報の基地局ＩＤが現在接続可能な基地局ＩＤの情報と異なる場合は、セルラ登録情報を更新する。
【００４７】
ステップ２００７では、アクセスポイント検索処理部１０４は、ＩＦ選択部１０２に対してローカル無線送受信処理部１０９をデフォルトで使用する通信インタフェースとするよう指示する。こうして基本的にローカル無線送受信処理部１０９にて通信を行うようになる。
【００４８】
ローカル無線送受信処理部１０９がデフォルトのインタフェースと設定されている時に、アクセスポイントからの受信が不能になった場合、すなわち、該当アクセスポイントからのビーコンが受信できなくなった場合（ステップ２００８：ＹＥＳ）には、ＩＦ選択部１０２は、ローカル無線送受信処理部１０９の電源供給を停止するように指示する（ステップ２００９）。
【００４９】
ステップ２００４の判定においてアクセスポイントが発見できなかった場合には、アクセスポイント検索処理部１０４は、ＩＦ選択部１０２にローカル無線送受信処理部１０９の電源供給を停止するよう指示する（ステップ２０１０）。その後、同条件にて頻繁に検索を行わないために、一定時間だけ、発生するイベントを無視する（ステップ２０１１）。
【００５０】
以上により、接続するアクセスポイント情報と、アクセスポイントと接続している場合のセルラ情報とをリンク付けて登録管理することができ、これらの情報を元に、自動的にアクセスポイントを検索する地域を限定して、特定の無線チャネルにてアクセスポイントを検索することができる。このため、消費電力を削減し、高速なアクセスポイント検索が可能となる。
【００５１】
なお、上記説明においては、ローカル無線送受信処理部１０９が活性化していない場合においてイベント検知部１０３がイベント検知を行うこととしたが、接続する無線ＬＡＮアクセスポイントを随時切替えて通信を継続するような場合には、ローカル無線送受信処理部１０９が活性化している場合にイベントを検知するようにしてもよい。この場合、図１０に示すステップ２００２の処理を行う必要はない。
【００５２】
また、ローカル無線送受信処理部１０９は、例えば、ＩＥＥＥ８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ｅ、ＢＬＵＥＴＯＯＴＨ（登録商標）、ＵＷＢ、ＷｉＭＡＸなどの通信方式により規定される。この場合、無線ＬＡＮアクセスポイントとは、それぞれのシステムにおいて基幹ネットワークと接続するためのアクセスポイントに一致し、ＳＳＩＤなどのアクセスポイントに特有の情報は、ネットワークＩＤなどが該当することになる。また、アクセスポイント登録部の情報は、少なくともＡＰ情報ＩＤ、ＳＳＩＤ、チャネル、セルラ情報を記憶すれば本無線通信装置におけるアクセスポイント検索方法（アクセスポイントへのアクセス制御方法）の実施を行うことが可能である。
【００５３】
また、ローカル無線送受信処理部１０９が活性化している間、セルラ情報登録部１０６に記憶されるセルラ情報の更新を、例えば３０分毎に定期的に行ってもよく、本処理を行うことによって、公衆無線網の構成が変更された場合にも柔軟に対応することができる。
【００５４】
また、例えば、アソシエーション応答信号などの信号を受信するなどして、アクセスポイントとの接続が完了した時に、ローカル無線送受信処理部１０９からアクセスポイント情報を再度取得し、アクセスポイント登録部１０７に記憶されているアクセスポイント情報を更新してもよく、本処理を行うことによって、アクセスポイントを利用する際に、ユーザが登録処理を明示的に行うことなく、自動的にアクセスポイント情報を最新の情報に保つことができる。
【００５５】
また、ＩＦ選択部１０２、イベント検知部１０３、アクセスポイント検索処理部１０４、セルラ情報登録部１０６、アクセスポイント登録部１０７、端末制御部１０８、ローカル無線送受信処理部１０９、セルラ送受信処理部１１０の各機能ブロックは、集積回路であるＬＳＩとして典型的には実現される。これらは個別に１チップ化されてもよいし、一部、または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００５６】
このように本実施の形態によれば、無線通信装置１００に、アクセスポイントと通信を行うローカル無線送受信処理部１０９と、前記アクセスポイントに関する情報（ＡＰ情報）と、前記アクセスポイントへのアクセス開始を制御するためのアクセス補助情報（実施の形態１では、アクセスポイントのエリア内で通信可能な基地局装置に関する情報（セルラ情報））とを記憶する接続情報記憶部１０５と、前記アクセス補助情報と一致する、接続情報記憶部１０５に記憶された情報に対応するアクセスポイントへのアクセス制御を行うとともに、ローカル無線送受信処理部１０９の起動制御を行う制御手段としてのアクセスポイント検索処理部１０４およびＩＦ選択部１０２と、を設けた。
【００５７】
こうすることにより、アクセス補助情報を満たすときのみに、そのアクセス補助情報と対応づけられた特定のアクセスポイントにだけアクセスを試みるとともに、アクセスポイントとの通信に利用するローカル無線送受信処理部１０９の起動制御を行うので、無線通信装置の消費電力を低く抑えつつ、迅速にアクセスポイントを検索することができる。
【００５８】
また、無線通信装置１００に、公衆無線通信網の基地局装置と当該基地局装置のエリア内で通信を行うセルラ送受信処理部１１０と、前記エリアより狭い限定されたエリア内で当該エリアのアクセスポイントと通信を行うローカル無線送受信処理部１０９と、前記アクセスポイントに関する情報（ＡＰ情報）と、当該アクセスポイントのエリア内で通信可能な基地局装置に関する情報（セルラ情報）とを対応づけて記憶する接続情報記憶部１０５と、セルラ送受信処理部１１０にて通信可能な基地局装置に関する情報と一致する、接続情報記憶部１０５に記憶された情報に対応するアクセスポイントへのアクセス制御を行うとともに、ローカル無線送受信処理部１０９の起動制御を行う制御手段としてのアクセスポイント検索処理部１０４およびＩＦ選択部１０２と、を設けた。
【００５９】
こうすることにより、アクセスポイントの接続情報と、このアクセスポイントとの接続時に接続することができる公衆無線基地局の情報とを関連づけて管理することで、アクセスポイントや公衆無線基地局の位置情報を管理および取得することなく、アクセスポイントの近傍でのみローカル無線送受信処理部を活性化してアクセスポイント検索を行うことができる。よって、ＧＰＳ機能などの位置検出機能を新たに設けることなく、消費電力を低く抑えつつ、迅速にアクセスポイントを検索することができる。すなわち、無線ＬＡＮアクセスポイントの位置座標情報を取得する手段を新たに設けることなく、接続する無線ＬＡＮアクセスポイントの近傍でのみ無線ＬＡＮ通信部の電源を投入し、特定の無線チャネルにて無線アクセスポイントを検索することができるので、無線通信装置の消費電力を低減できる。また、無線ＬＡＮ検索所要時間を一意に定め、かつ迅速に行うことができるため、使用する無線通信インタフェースの所要切替え時間の見積もりが一意に定まるため、サービス品質を低下させること無く切替えを行うことが可能となる。
【００６０】
前記制御手段としてのアクセスポイント検索処理部１０４は、前記アクセスポイントとの通信中に、当該アクセスポイントに関する情報と、当該アクセスポイントのエリア内において前記セルラ送受信手段で通信可能な基地局装置に関する情報とを対応づけた記憶制御を行う。
【００６１】
前記制御手段は、アクセス制御が失敗したときに、ローカル無線送受信処理部１０９への電力供給を停止する。
【００６２】
こうすることにより、通信が不可能になった場合などアクセスポイントへのアクセス制御が失敗したときに、即座にローカル無線送受信処理部１０９への電力供給を停止することができるので、電力消費を低減できる。
【００６３】
接続情報記憶部１０５に記憶されるアクセスポイントに関する情報は、当該アクセスポイントとの通信に利用されるチャネル情報を含む。
【００６４】
こうすることにより、アクセス制御（アクセスポイント検索）時に、全ての無線チャネルを使用することなく、特定の無線チャネルのみを利用することができる。
【００６５】
接続情報記憶部１０５に記憶される基地局装置に関する情報は、当該基地局装置の識別情報と、当該基地局装置から送信される信号の受信電力情報とを含む。
【００６６】
こうすることにより、アクセスポイント、あるいは基地局の位置座標情報を取得することなく、自装置が接続するアクセスポイントの近傍に位置することを推定することができる。
【００６７】
（実施の形態２）
実施の形態１においては、無線通信装置が現時点で接続可能な基地局の識別情報及びその基地局から送信された送信信号の平均受信電力と、アクセスポイント接続時に記憶しておいた、接続可能な基地局の識別情報と平均受信電力とが一致することを、そのアクセスポイントを検索する「ＡＰ検索処理開始条件」として利用した。これに対して、実施の形態２においては、アクセスポイントの利用頻度が高い時間帯を記憶しておき、その時間を「ＡＰ検索処理開始条件」として利用する。これは、例えば、実施の形態２の無線通信装置の、無線通信装置１００と同じセルラ機能がセルフモードにより強制的に圏外にされている場合などに、利用することが可能である。
【００６８】
図１１に示すように実施の形態２の無線通信装置４００は、イベント検知部４０３と、アクセスポイント検索処理部４０４と、接続情報記憶部４０５とを有する。この接続情報記憶部４０５は、アクセスポイント利用状況登録部４０６を有する。
【００６９】
アクセスポイント検索処理部４０４は、「ＡＰ登録処理」の制御を行う。具体的には、アクセスポイント検索処理部４０４は、ローカル無線送受信処理部１０９からアクセスポイントの接続処理を完了したことを通知されると、接続情報記憶部４０５内のアクセスポイント利用状況登録部４０６に、ローカル無線送受信処理部１０９の利用開始時刻を記憶するように指示する。また、アクセスポイント検索処理部４０４は、ＩＦ選択部１０２からローカル無線送受信処理部１０９への電源供給を停止した旨を通知されると、アクセスポイント利用状況登録部４０６に、ローカル無線送受信処理部１０９の利用終了時刻を記憶するように指示する。また、アクセスポイント検索処理部４０４は、イベント検知部４０３からの指示（イベント検知の通知）により無線ＬＡＮアクセスポイント検索の実行制御を行う。
【００７０】
アクセスポイント利用状況登録部４０６は、ローカル無線送受信処理部１０９の使用開始時刻と、利用終了時刻とを記憶する。ＩＦ選択部１０２によりローカル無線送受信処理部１０９が活性化され、接続処理が完了すると、その時刻がローカル無線送受信処理部利用開始時刻として記憶される。また、アクセスポイントからのビーコン受信ができなくなるなど、アクセスポイントと接続することができなくなると、ＩＦ選択部１０２がローカル無線送受信処理部１０９への電源供給を停止するよう指示し、その時刻がローカル無線送受信処理部利用終了時刻として記憶される。アクセスポイント利用状況登録部４０６は、これらの情報を統計的に処理し、利用頻度の高い時間帯を算出する。
【００７１】
図１２は、アクセスポイント利用状況登録部４０６に記憶されるＡＰ利用状況情報を視覚的に示したものである。同図に示すように、アクセスポイント登録部１０７内に記録されているアクセスポイント情報のうち、ＡＰ情報ＩＤが“１”に該当するアクセスポイントの利用状況を示している。この場合、日曜日には１９時２０分に利用を開始し、月曜日の７時２０分には利用を終了したことが示されている。
【００７２】
イベント検知部４０３は、「ＡＰ検索処理開始条件」を満たしているかいないかを判定する。すなわち、イベント検知部４０３は、ＡＰ利用状況情報に基づいて、現時点が利用頻度の高い時間であるアクセスポイントがあるか否かを判定する。「ＡＰ検索処理開始条件」を満たしている場合、すなわち利用頻度の高いアクセスポイントがある場合には、イベント検知通知をアクセスポイント検索処理部４０４に送出する。すなわち、アクセスポイントの利用頻度の高い時間帯は、「アクセスポイントへのアクセス開始を制御するためのアクセス補助情報」ということができる。
【００７３】
次に、上記構成を有する無線通信装置４００の動作について説明する。
【００７４】
まず、ＡＰ利用状況情報登録処理手順について説明する。図１３は、無線通信装置４００における、ＡＰ利用状況情報登録処理手順を示すフロー図である。
【００７５】
アクセスポイント検索処理部４０４は、ローカル無線送受信処理部１０９からアクセスポイントの接続処理を完了したことを通知されたか否かを判定する（ステップ３００１）。例えば、アソシエーション応答信号をローカル無線送受信処理部１０９にて受信し、アソシエーション応答信号を解析した結果、アソシエーションが成功したと判定できる場合には、ローカル無線送受信処理部１０９からアクセスポイント検索処理部４０４にアソシエーション成功信号が通知され、アクセスポイントの接続処理を完了したことが通知されたことになる。
【００７６】
アクセスポイントの接続処理が完了すると（ステップ３００１：ＹＥＳ）、アクセスポイント検索処理部４０４は、アクセスポイント利用状況登録部４０６に、ローカル無線送受信処理部利用開始時刻をそのアクセスポイントのＡＰ情報と対応づけて記憶する制御を行う（ステップ３００２）。
【００７７】
ステップ３００３でアクセスポイント検索処理部４０４は、ローカル無線送受信処理部１０９の利用を終了したことを通知されたか否かを判定する。例えば、ＩＦ選択部１０２がローカル無線送受信処理部１０９への電源供給を停止するよう指示した信号をアクセスポイント検索処理部４０４が受信することにより、ローカル無線送受信処理部１０９の利用を終了したことが通知されたことになる。
【００７８】
ローカル無線送受信処理部１０９の利用を終了したことを通知されたと判定されると（ステップ３００３：ＹＥＳ）、アクセスポイント検索処理部４０４は、アクセスポイント利用状況登録部４０６に、現在の時刻をローカル無線送受信処理部１０９の利用終了時刻として記憶する制御を行う（ステップ３００４）。
【００７９】
アクセスポイント利用状況登録部４０６は、開始時刻、終了時刻の登録処理が完了すると、これらの情報を統計的に処理し、何曜日のいつの時間帯にローカル無線送受信処理部１０９を利用開始した頻度が高いかを示すアクセスポイント利用状況情報を作成（更新）する（ステップ３００５）。
【００８０】
次に、ＡＰ検索処理について説明する。図１４は、無線通信装置４００における、ＡＰ検索処理手順を示すフロー図である。基本的な処理フローは、図１０のものと同様であるが、ローカル無線送受信処理部１０９の活性化タイミングがＡＰ利用状況情報を元に決定される点（ステップ４００１）、接続処理（ステップ２００５）の後にローカル無線送受信処理部１０９の利用開始時刻の登録処理を有する点（ステップ４００２）、およびアクセスポイントからの受信が不可になった場合にローカル無線送受信処理部１０９の利用終了時刻の登録処理を有する点（ステップ４００３）が異なる。
【００８１】
例えば無線通信装置４００の無線通信装置１００と同じセルラ機能がセルフモードにより強制的に圏外にされている場合などに、ステップ４００１では、イベント検知部４０３が、「ＡＰ検索処理開始条件」を満たしているかいないか、すなわちＡＰ利用状況情報に基づいて、ローカル無線送受信処理部１０９の利用頻度が高い時刻であるかを判定する。
【００８２】
ステップ４００２では、アクセスポイント検索処理部４０４は、ローカル無線送受信処理部１０９からアクセスポイントの接続処理を完了したことを通知されると、接続情報記憶部４０５内のアクセスポイント利用状況登録部４０６に、ローカル無線送受信処理部１０９の利用開始時刻を記憶するように指示する。
【００８３】
ステップ４００３では、アクセスポイント検索処理部４０４は、ＩＦ選択部１０２からローカル無線送受信処理部１０９への電源供給を停止した旨を通知されると、アクセスポイント利用状況登録部４０６に、ローカル無線送受信処理部１０９の利用終了時刻を記憶するように指示する。
【００８４】
以上により、接続するアクセスポイント情報と、アクセスポイントの利用状況情報とをリンク付けて登録管理することができ、これらの情報を元に、自動的にアクセスポイントを検索する時間を限定して、特定の無線チャネルにてアクセスポイントを検索することができる。このため、セルラ情報を取得せずとも、その利用パターンから、アクセスポイント検索の時間帯を限定し、消費電力を削減することができる。
【００８５】
なお、ＩＦ選択部１０２、イベント検知部４０３、アクセスポイント検索処理部４０４、アクセスポイント利用状況登録部４０６、アクセスポイント登録部１０７、端末制御部１０８、ローカル無線送受信処理部１０９、セルラ送受信処理部１１０の各機能ブロックは、集積回路であるＬＳＩとして典型的には実現される。これらは個別に１チップ化されてもよいし、一部、または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００８６】
このように本実施の形態によれば、無線通信装置４００に、アクセスポイントと通信を行うローカル無線送受信処理部１０９と、前記アクセスポイントに関する情報（ＡＰ情報）と、前記アクセスポイントへのアクセス開始を制御するためのアクセス補助情報（実施の形態２では、アクセスポイントの利用頻度の高い時間帯）とを記憶する接続情報記憶部４０５と、前記アクセス補助情報と一致する、接続情報記憶部４０５に記憶された情報に対応するアクセスポイントへのアクセス制御を行うとともに、ローカル無線送受信処理部１０９の起動制御を行う制御手段としてのアクセスポイント検索処理部４０４およびＩＦ選択部１０２と、を設けた。
【００８７】
こうすることにより、アクセス補助情報を満たすときのみに、そのアクセス補助情報と対応づけられた特定のアクセスポイントにだけアクセスを試みるとともに、アクセスポイントとの通信に利用するローカル無線送受信処理部１０９の起動制御を行うので、無線通信装置の消費電力を低く抑えつつ、迅速にアクセスポイントを検索することができる。
【００８８】
また、無線通信装置４００に、公衆無線通信網の基地局装置と当該基地局装置のエリア内で通信を行うセルラ送受信処理部１１０と、前記エリアより狭い限定されたエリア内で当該エリアのアクセスポイントと通信を行うローカル無線送受信処理部１０９と、前記アクセスポイントに関する情報（ＡＰ情報）と、当該アクセスポイントの利用頻度の高い時間帯とを対応づけて記憶する接続情報記憶部４０５と、現時点が接続情報記憶部４０５に記憶された利用頻度の高い時間帯に対応するアクセスポイントへのアクセス制御を行うとともに、ローカル無線送受信処理部１０９の起動制御を行う制御手段としてのアクセスポイント検索処理部およびＩＦ選択部１０２と、を設けた。
【００８９】
こうすることにより、利用者の過去の利用パターンに応じてローカル無線送受信処理部１０９を活性化してアクセスポイント検索を行うタイミングを決定することができるので、消費電力を低く抑えつつ、迅速にアクセスポイントを検索することができる。
【００９０】
（実施の形態３）
実施の形態３は、自宅などの特定エリアと、そのエリアのＡＰ情報とを対応づけて記憶しておき、そのエリアの入出門時のドアの開錠などを「ＡＰ検索処理開始条件」として利用する。
【００９１】
図１５に示すように実施の形態３の無線通信装置５００は、電子錠処理部５０１と、イベント検知部５０３と、アクセスポイント登録部５０７とを有する。
【００９２】
電子錠処理部５０１は、自宅などの特定エリアの入出門時に認証装置との認証通信を行いドアの開錠・施錠を行う機能を有しており、例えば、非接触式ＩＣカードや、接触式ＩＣカード、ＲＦＩＤなどにより、その入門時にドアを開錠し、出門時にドアを施錠することが可能となる。
【００９３】
アクセスポイント登録部５０７は、接続するアクセスポイントと、そのアクセスポイントが設置されているエリアに入門するための開錠をおこなう電子錠情報とを関連づけて記憶する。
【００９４】
イベント検知部５０３は、「ＡＰ検索処理開始条件」を満たしているかいないかを判定する。すなわち、イベント検知部５０３は、電子錠の開錠処理があると、その開錠処理にかかる電子錠情報と対応するＡＰ情報がアクセスポイント登録部５０７にあるかを判定する。「ＡＰ検索処理開始条件」を満たしている場合、すなわち開錠処理にかかる電子錠情報と対応するＡＰ情報がアクセスポイント登録部５０７にある場合には、イベント検知通知をアクセスポイント検索処理部１０４に送出する。すなわち、認証装置との認証に関する情報（ここでは、電子錠情報）は、「アクセスポイントへのアクセス開始を制御するためのアクセス補助情報」ということができる。
【００９５】
上記構成を有する無線通信装置５００の動作について説明する。図１６は、無線通信装置５００における、ＡＰ検索処理手順を示すフロー図である。基本的な処理フローは、図１０のものと同様であるが、ローカル無線送受信処理部１０９の活性化タイミングが、電子錠の開錠処理を行ったか否か、および、その電子錠情報と対応するＡＰ情報が登録されているかにより決定される点（ステップ５００１）、並びに、施錠処理がなされたかが判定される点（ステップ５００２）が異なる。
【００９６】
ステップ５００１では、イベント検知部５０３が、電子錠が利用されるエリアが１つで、そのエリアに対応するＡＰ情報が登録されている場合には、電子錠の開錠処理を行ったか否かが判定される。なお、電子錠が利用されるエリアが複数ある場合などには、電子錠の開錠処理を行ったか否か、および、その電子錠情報と対応するＡＰ情報が登録されているかが判定される。例えば、電子錠処理部５０１から、電子錠を開錠したイベントを取得すると、電子錠の開錠処理を行ったと判定する。
【００９７】
図１７は、アクセスポイント登録部５０７に格納されているＡＰ情報の一例を示している。同図に示すようにアクセスポイント登録部５０７は、エントリ番号を示すＡＰ情報ＩＤ、ＡＰ名、ＳＳＩＤ、使用チャネル、ビーコン周期、ＷＥＰ暗号化の有無、ＷＥＰ暗号キー、関連電子錠情報エントリ番号を記憶している。同図では、エントリ番号を示すＡＰ情報ＩＤが“１”、ＡＰ名が“Ｗｌａｎａｐ１”、ＳＳＩＤが“Ｍｙｎｅｔｗｏｒｋ”、使用チャネルが“１４”、ビーコン周期が“１００ｍｓ”、ＷＥＰ暗号化の有無が“Ｏｎ”（有）、ＷＥＰ暗号キーが“Ｓｅｃｒｅｔ−ｋｅｙ１２３”、関連電子錠情報エントリ番号が“１”であることが記憶されている。すなわち、同図に示すＡＰ情報を所有している場合、電子錠情報１に記載の電子錠が開錠された場合に、無線チャネル１４において、ＳＳＩＤが“Ｍｙｎｅｔｗｏｒｋ”であるアクセスポイント“Ｗｌａｎａｐ１”の検索を行うことになる。
【００９８】
図１６に戻り、ステップ５００２では、イベント検知部５０３は、電子錠の施錠処理を行ったか否かを判定する。例えば、電子錠処理部５０１から、電子錠を施錠したイベントを取得すると、電子錠の施錠処理を行ったと判定する。
【００９９】
ステップ５００２の判定において施錠処理を行ったと判定すると、ローカル無線送受信処理部１０９への電源供給を停止する（ステップ２００９）。
【０１００】
以上により、接続するアクセスポイント情報と、アクセスポイントと接続することが可能なエリアに入出門する場合の開錠・施錠情報とをリンク付けて登録管理することができ、これらの情報を元に、自動的にアクセスポイントを検索する地域を限定して、特定の無線チャネルにてアクセスポイントを検索することができる。このため、消費電力を削減し、高速なアクセスポイント検索が可能となる。
【０１０１】
なお、ＩＦ選択部１０２、イベント検知部５０３、アクセスポイント検索処理部１０４、アクセスポイント登録部５０７、端末制御部１０８、ローカル無線送受信処理部１０９、セルラ送受信処理部１１０、電子錠処理部５０１の各機能ブロックは、集積回路であるＬＳＩとして典型的には実現される。これらは個別に１チップ化されてもよいし、一部、または全てを含むように1チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０１０２】
このように本実施の形態によれば、無線通信装置５００に、アクセスポイントと通信を行うローカル無線送受信処理部１０９と、前記アクセスポイントに関する情報（ＡＰ情報）と、前記アクセスポイントへのアクセス開始を制御するためのアクセス補助情報（実施の形態３では、認証装置との認証に関する情報）とを記憶する接続情報記憶部１０５と、前記アクセス補助情報と一致する、接続情報記憶部１０５に記憶された情報に対応するアクセスポイントへのアクセス制御を行うとともに、ローカル無線送受信処理部１０９の起動制御を行う制御手段としてのアクセスポイント検索処理部１０４およびＩＦ選択部１０２と、を設けた。
【０１０３】
こうすることにより、アクセス補助情報を満たすときのみに、そのアクセス補助情報と対応づけられた特定のアクセスポイントにだけアクセスを試みるとともに、アクセスポイントとの通信に利用するローカル無線送受信処理部１０９の起動制御を行うので、無線通信装置の消費電力を低く抑えつつ、迅速にアクセスポイントを検索することができる。
【０１０４】
また、無線通信装置５００に、特定エリアへの進入のための認証を行う認証装置と通信を行う電子錠処理部５０１と、アクセスポイントと当該アクセスポイントのエリア内で通信を行うローカル無線送受信処理部１０９と、前記認証装置との認証に関する情報と、その認証装置の特定エリア内で通信可能なアクセスポイントに関する情報とを対応づけて記憶する接続情報記憶部１０５と、前記認証が成功した前記認証装置との認証に関する情報と一致する、接続情報記憶部１０５に記憶された情報に対応するアクセスポイントへのアクセス制御を行うとともに、ローカル無線送受信処理部１０９の起動制御を行う制御手段としてのアクセスポイント検索処理部１０４およびＩＦ選択部１０２と、を設けた。
【０１０５】
こうすることにより、例えば、アクセスポイントが設置されている建造物への入門時にのみローカル無線送受信処理部１０９を活性化してアクセスポイント検索を行うことができるので、消費電力を低く抑えつつ、迅速にアクセスポイントを検索することができる。
【０１０６】
前記制御手段は、特定エリアからの退出の認証を行うときに、ローカル無線送受信処理部１０９への電力供給を停止する。
【０１０７】
こうすることにより、例えば、アクセスポイントが設置されている建造物以外の場所において、ローカル無線送受信処理部１０９の電力消費を低減することができる。
【０１０８】
（他の実施の形態）
実施の形態２においては、アクセスポイントの利用頻度が高い時間帯のみを「ＡＰ検索処理開始条件」として利用したが、本発明はこれに限定されることはなく、実施の形態１実施の形態２の両「ＡＰ検索処理開始条件」を満たしたときに、ＡＰ検索処理を行うようにしてもよい。
【０１０９】
すなわち、無線通信装置に、公衆無線通信網の基地局装置と当該基地局装置のエリア内で通信を行うセルラ送受信部と、前記エリアより狭い限定されたエリア内で当該エリアのアクセスポイントと通信を行うローカル無線送受信部と、前記アクセスポイントに関する情報と、当該アクセスポイントのエリア内で通信可能な基地局装置に関する情報とを対応づけて記憶し、且つ、前記アクセスポイントに関する情報と、当該アクセスポイントの利用頻度の高い時間帯とを対応づけて記憶する接続情報記憶部と、現時点が前記記憶手段に記憶された利用頻度の高い時間帯に対応するアクセスポイントであり、且つ、前記セルラ送受信手段にて通信可能な基地局装置に関する情報と一致する前記記憶手段に記憶された情報に対応するアクセスポイントへの、アクセス制御を行うとともに、前記ローカル無線送受信手段の起動制御を行う制御手段としてのアクセスポイント検索処理部およびＩＦ選択部と、を設けてもよい。
【０１１０】
こうすることにより、アクセスポイント情報（ＡＰ情報）とこのアクセスポイントとの接続時に接続することができる公衆無線基地局の情報と、更にはアクセスポイント情報（ＡＰ情報）とアクセスポイントの利用状況情報とをリンク付けて登録管理することができ、これらの情報を元に、自動的にアクセスポイントを検索する地域および時間を限定して、特定の無線チャネルにてアクセスポイントを検索することができる。
【産業上の利用可能性】
【０１１１】
本発明無線通信装置およびアクセス制御方法は、消費電力を低く抑えつつ、迅速にアクセスポイントを検索することができるものとして有用である。
【図面の簡単な説明】
【０１１２】
【図１】本発明の実施の形態１に係る無線通信装置の構成を示すブロック図
【図２】図１の無線通信装置のＡＰ登録処理手順を示すフロー図
【図３】図１のセルラ情報登録部に記憶されるセルラ情報の構成例を示す図
【図４】図１のアクセスポイント登録部に記憶されるＡＰ情報の構成例を示す図
【図５】図１の無線通信装置の一構造例を示す図
【図６】図１の無線通信装置のＡＰ登録処理手順に対応するディスプレイ表示例を示す図
【図７】図１の無線通信装置のＡＰ登録処理手順に対応するディスプレイ表示例を示す図
【図８】図１の無線通信装置のＡＰ登録処理手順に対応するディスプレイ表示例を示す図
【図９】図１の無線通信装置のＡＰ登録処理手順に対応するディスプレイ表示例を示す図
【図１０】図１の無線通信装置のＡＰ検索処理手順を示すフロー図
【図１１】実施の形態２に係る無線通信装置の構成を示すブロック図
【図１２】図１１のアクセスポイント利用状況登録部に記憶されるＡＰ利用状況情報を視覚的に示す図
【図１３】図１１の無線通信装置における、ＡＰ利用状況情報登録処理手順を示すフロー図
【図１４】図１１の無線通信装置における、ＡＰ検索処理手順を示すフロー図
【図１５】実施の形態３に係る無線通信装置の構成を示すブロック図
【図１６】図１５の無線通信装置における、ＡＰ検索処理手順を示すフロー図
【図１７】図１５のアクセスポイント登録部に格納されているＡＰ情報の一例を示す図
【符号の説明】
【０１１３】
１００、４００、５００  無線通信装置
１０１  アクセスポイント検索制御部
１０２  ＩＦ選択部
１０３、４０３、５０３  イベント検知部
１０４、４０４  アクセスポイント検索処理部
１０５、４０５  接続情報記憶部
１０６  セルラ情報登録部
１０７、５０７  アクセスポイント登録部
１０８  端末制御部
１０９  ローカル無線送受信処理部
１１０  セルラ送受信処理部
１１１  操作部
１１２  ディスプレイ
４０６  アクセスポイント利用状況登録部
５０１  電子錠処理部
【図１】
2008060742.tif 000003
【図２】
2008060742.tif 000004
【図３】
2008060742.tif 000005
【図４】
2008060742.tif 000006
【図５】
2008060742.tif 000007
【図６】
2008060742.tif 000008
【図７】
2008060742.tif 000009
【図８】
2008060742.tif 000010
【図９】
2008060742.tif 000011
【図１０】
2008060742.tif 000012
【図１１】
2008060742.tif 000013
【図１２】
2008060742.tif 000014
【図１３】
2008060742.tif 000015
【図１４】
2008060742.tif 000016
【図１５】
2008060742.tif 000017
【図１６】
2008060742.tif 000018
【図１７】
2008060742.tif 000019